(57)【要約】【課題】ホルダ用の解除治具を不要とすると共に、ハウジングに対するホルダの解除作業を容易としてメンテナンス性の向上を図ることができる光コネクタを提供する。【解決手段】光コネクタ１は、光ファイバ３と、光ファイバ３の端部に設けられたフェルール１０と、フェルール１０が収容されるプラグハウジング２０と、プラグハウジング２０に設けられ、プラグハウジング２０と相手側ハウジングとを嵌合状態に保持するロックアーム２３と、プラグハウジング２０に組み付けられてフェルール１０をプラグハウジング２０に保持するホルダ３０と、ホルダ３０に設けられ、ロック解除方向に所定以上撓み変形したロックアーム２３に押圧されることでホルダ３０によるフェルール１０の保持を解除する方向にホルダ３０を変位させるホルダ突起部３６と、を備える。【選択図】図２
2020194050.tif 000002
【特許請求の範囲】
【請求項１】
光ファイバと、
前記光ファイバの端部に設けられたフェルールと、
前記フェルールが収容されるハウジングと、
前記ハウジングに設けられ、相手側ハウジングと嵌合する過程では撓み変形し嵌合完了と共に復帰して前記相手側ハウジングを係止することにより前記ハウジングと前記相手側ハウジングとを嵌合状態に保持するロックアームと、
前記ハウジングに組み付けられて前記フェルールを前記ハウジングに保持するホルダと、
前記ホルダに設けられ、ロック解除方向に所定以上撓み変形した前記ロックアームに押圧されることで前記ホルダによる前記フェルールの保持を解除する方向に前記ホルダを変位させるホルダ突起部と、
を備えることを特徴とする光コネクタ。
【請求項２】
前記ホルダは、前記ホルダを前記ハウジングに保持して前記フェルールを前記ハウジングに挿脱可能とする仮係止部と、前記フェルールが前記ハウジングに収容された状態で前記ホルダを前記ハウジングに挿入させて保持する本係止部とを有する係止部を介して前記ハウジングの被係止部に係止される
ことを特徴とする請求項１に記載の光コネクタ。
【請求項３】
前記本係止部における係止面は、前記被係止部における係止面との摺接により前記係止部を係止解除方向へ撓ませる傾斜面とされている
ことを特徴とする請求項２に記載の光コネクタ。
【請求項４】
前記ホルダ突起部は、前記ハウジングへの装着方向に向けて前記ホルダの両側部に延設された一対の前記係止部の間における中央位置に設けられている
ことを特徴とする請求項２又は３に記載の光コネクタ。
【発明の詳細な説明】
【技術分野】
【０００１】
本発明は、光コネクタに関する。
【背景技術】
【０００２】
従来、光コネクタとしては、光ファイバと、この光ファイバの端部に設けられて光ファイバの芯線が挿通されるフェルールと、このフェルールが収容されるハウジングとしてのコネクタハウジングと、このコネクタハウジングに組み付けられてフェルールをコネクタハウジングに保持するホルダと、を備えたものが知られている（特許文献１参照）。
【０００３】
ホルダは、コネクタハウジングに対して係止部を介して係止されている。この係止部は、ホルダをコネクタハウジングに仮係止位置に保持してフェルールをコネクタハウジングに収容可能とする仮係止部と、フェルールがコネクタハウジンに収容された状態でホルダをコネクタハウジングに挿入させて本係止位置に保持する本係止部と、を有する。
【先行技術文献】
【特許文献】
【０００４】
【特許文献１】特開２０１４−４４３３５号公報
【発明の概要】
【発明が解決しようとする課題】
【０００５】
ところで、上記の光コネクタは、光ファイバの端部にキズが付いた場合や、フェルールから光ファイバが外れた場合等にメンテナンスする際、コネクタハウジングに対するホルダの本係止状態を解除して仮係止状態とし、フェルールをコネクタハウジングから外す必要がある。
しかしながら、コネクタハウジングに対するホルダの本係止状態を解除して仮係止状態とする際には、ホルダ用の解除治具が必要となる。また、ホルダを仮係止状態とするためには、相手側光コネクタと光コネクタとの嵌合を解除した後、ホルダの本係止状態を解除して仮係止状態とする必要があり、ホルダの解除作業に時間が掛かるという問題があった。
【０００６】
本発明は上記状況に鑑みてなされたもので、その目的は、ホルダ用の解除治具を不要とすると共に、ハウジングに対するホルダの解除作業を容易としてメンテナンス性の向上を図ることができる光コネクタを提供することにある。
【課題を解決するための手段】
【０００７】
本発明に係る上記目的は、下記構成により達成される。
（１）  光ファイバと、前記光ファイバの端部に設けられたフェルールと、前記フェルールが収容されるハウジングと、前記ハウジングに設けられ、相手側ハウジングと嵌合する過程では撓み変形し嵌合完了と共に復帰して前記相手側ハウジングを係止することにより前記ハウジングと前記相手側ハウジングとを嵌合状態に保持するロックアームと、前記ハウジングに組み付けられて前記フェルールを前記ハウジングに保持するホルダと、前記ホルダに設けられ、ロック解除方向に所定以上撓み変形した前記ロックアームに押圧されることで前記ホルダによる前記フェルールの保持を解除する方向に前記ホルダを変位させるホルダ突起部と、を備えることを特徴とする光コネクタ。
【０００８】
上記（１）の構成の光コネクタによれば、ロックアームがロック解除方向に所定以上撓み変形させられると、フェルールをハウジングに保持しているホルダに設けたホルダ突起部にロックアームが当接する。そして、更にロックアームをロック解除方向に撓み変形させることで、ホルダがフェルールの保持を解除する方向に変位させられてフェルールの保持を解除することができる。
即ち、ロックアームの操作部を押圧してロックアームを撓ませることで、ホルダをフェルールの保持を解除する方向に変位させてハウジングに対するフェルールの保持を解除することができる。そこで、ホルダ用の解除治具を使用する必要がなくなる。また、相手側ハウジングとハウジングとの嵌合解除時にロックアームを撓ませて相手側ハウジングに対する係止を解除すると同時に、連動してホルダをフェルールの保持を解除した状態にすることができ、ハウジングに対するホルダの解除作業を容易としてメンテナンス性の向上を図ることができる。
【０００９】
（２）  前記ホルダは、前記ホルダを前記ハウジングに保持して前記フェルールを前記ハウジングに挿脱可能とする仮係止部と、前記フェルールが前記ハウジングに収容された状態で前記ホルダを前記ハウジングに挿入させて保持する本係止部とを有する係止部を介して前記ハウジングの被係止部に係止されることを特徴とする上記（１）に記載の光コネクタ。
【００１０】
上記（２）構成の光コネクタによれば、ホルダは、仮係止部と本係止部とを有する係止部を介してハウジングの被係止部に係止される。
そこで、本係止部がハウジングの被係止部に係止されてフェルールをハウジングに保持している本係止位置のホルダは、ロック解除方向に撓み変形させられたロックアームによってフェルールの保持を解除する方向に変位させられると、仮係止部がハウジングの被係止部に係止された仮係止位置となる。従って、フェルールの保持を解除する方向に変位させられたホルダが、ハウジングから不用意に脱落してしまうおそれがない。
【００１１】
（３）  前記本係止部における係止面は、前記被係止部における係止面との摺接により前記係止部を係止解除方向へ撓ませる傾斜面とされていることを特徴とする上記（２）に記載の光コネクタ。
【００１２】
上記（３）の構成の光コネクタによれば、本係止部における係止面が、被係止部における係止面との摺接により係止部を係止解除方向へ撓ませる傾斜面とされている。
そこで、本係止位置のホルダがフェルールの保持を解除する方向に変位させられる際、本係止部は被係止部に対する係止がスムーズに解除される。従って、ホルダをフェルールの保持を解除する方向に変位させるためにロックアームの操作部を押圧してロックアームを撓ませる操作力を低減することができる。
【００１３】
（４）  前記ホルダ突起部は、前記ハウジングへの装着方向に向けて前記ホルダの両側部に延設された一対の前記係止部の間における中央位置に設けられていることを特徴とする上記（２）又は（３）に記載の光コネクタ。
【００１４】
上記（４）の構成の光コネクタによれば、ロック解除方向に撓み変形させられたロックアームによって本係止位置のホルダを仮係止位置とする際、ロックアームはホルダの両側部に延設された一対の係止部の間における中央位置に設けられたホルダ突起部に当接する。そして、更にロックアームをロック解除方向に撓み変形させることで、ホルダ突起部を介してホルダがフェルールの保持を解除する方向に押圧されて変位させられる。
そこで、ホルダ突起部に作用した押圧力は、ホルダの両側部に延設された一対の係止部に均等に作用し、各係止部を係止解除方向へ均等に撓ませることができる。従って、ホルダは傾くことなくスムーズに仮係止位置へ移行することができる。
【発明の効果】
【００１５】
本発明に係る光コネクタによれば、ホルダ用の解除治具を不要とすると共に、ハウジングに対するホルダの解除作業を容易としてメンテナンス性の向上を図ることができる。
【００１６】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１７】
【図１】本発明の一実施形態に係る光コネクタと相手側光コネクタの斜視図である。
【図２】図１に示した光コネクタの分解斜視図である。
【図３】光ファイバの端部に設けられたフェルールを光コネクタから外した状態の斜視図である。
【図４】（ａ）は図１に示した光コネクタの縦断面図であり、（ｂ）は（ａ）におけるＩＶ−ＩＶ断面矢視図である。
【図５】光コネクタを相手側光コネクタに着脱させる途中状態を説明するための要部断面図である。
【図６】（ａ）はロックアームをロック解除方向に操作して押下部をホルダのホルダ突起部に当接させた状態の光コネクタの縦断面図であり、（ｂ）は（ａ）におけるＶＩ−ＶＩ断面矢視図である。
【図７】（ａ）はロックアームの押下部でホルダのホルダ突起部を押圧してホルダを仮係止位置に移行させた状態の光コネクタの縦断面図であり、（ｂ）は（ａ）におけるＶＩＩ−ＶＩＩ断面矢視図である。
【図８】本実施形態の光コネクタの変形例に係るホルダを示す要部拡大断面図である。
【発明を実施するための形態】
【００１８】
以下、本発明に係る実施形態を、図面を参照して説明する。
図１は、本発明の一実施形態に係る光コネクタ１と相手側光コネクタ５１の斜視図である。図２は、図１に示した光コネクタ１の分解斜視図である。図３は、光ファイバ３の端部に設けられたフェルール１０を光コネクタ１から外した状態の斜視図である。図４の（ａ）は図１に示した光コネクタ１の縦断面図であり、図４の（ｂ）は、図４の（ａ）におけるＩＶ−ＩＶ断面矢視図である。図５は、光コネクタ１を相手側光コネクタ５１に着脱させる途中状態を説明するための要部断面図である。
【００１９】
本実施形態に係る光コネクタ１は、図１に示すように、レセプタクルタイプの相手側光コネクタ５１が嵌合されるプラグコネクタである。相手側光コネクタ５１は、図示しない回路基板に実装され、この相手側光コネクタ５１に設けられた嵌合凹部５３に光コネクタ１が嵌合される。なお、本実施形態に係る相手側光コネクタ５１は、レセプタクルタイプに限らず、インライン嵌合する光コネクタとすることもできる。
【００２０】
光コネクタ１は、図２及び図３に示すように、光ファイバ３の端部に接続されたフェルール１０を収容するハウジングとしてのプラグハウジング２０と、フェルール１０をプラグハウジング２０内に収容保持するホルダ３０とを備える。
【００２１】
光ファイバ３は、光ファイバ素線５をプラスチック樹脂７で覆って構成されている。光ファイバ３の種類としては、シングルモードファイバ、マルチモードファイバ等を用いることができる。また、光ファイバ素線５の材料としては、石英、プラスチック等を用いることができる。
【００２２】
本実施形態のフェルール１０は、２つが並列に配置され、それぞれに光ファイバ３の光ファイバ素線５が挿入されてフェルールアッシー２となる。このフェルールアッシー２は、フェルールアッシー２を保持する研磨治具（不図示）と、フェルール１０の先端面を研磨する研磨盤（不図示）などによって、光ファイバ３の端面が研磨される。このようなフェルールアッシー２のフェルール１０側は、プラグハウジング２０のフェルール収容室に収容配置される。
【００２３】
フェルール１０の外周には、軸線方向中央部に一対の円環フランジ部１１，１３が径方向外側に張り出して形成され、この軸線方向後方側に略同一外径の円環後端部１５が径方向外側に張り出して形成される。
【００２４】
合成樹脂製のプラグハウジング２０は、前方に相手側光コネクタ５１のフェルール（図示せず）との結合開口部２１を有する。結合開口部２１の奥側には一対のフェルール１０が収容されるフェルール収容室が設けられている。
プラグハウジング２０の両側壁には、可撓係止片２９が上下に延びる揺動中心軸を中心に揺動自在に設けられている。可撓係止片２９は、常態において係止部がプラグハウジング２０のフェルール収容室に突出して配置される。
更に、可撓係止片２９の後方には、後述するホルダ３０の係止部３７が係止される被係止部２２が設けられている。また、被係止部２２の後方におけるプラグハウジング２０の両側壁内面には、上下方向に沿ってスライド溝２８（図４参照）が形成されている。
【００２５】
プラグハウジング２０の上面には、ロックアーム２３が形成されている。ロックアーム２３は、図４に示すよう、プラグハウジング２０前端側から後端側に延びる片持ち梁形状の可撓アームである。このロックアーム２３は、相手側光コネクタ５１の相手側ハウジング５０に引っ掛かる係止突起２５と、操作用の操作部２７と、後述するホルダ３０のホルダ突起部３６に当接して押下するための押下部２４と、を有している。
プラグハウジング２０の下面には、ホルダ装着開口２６が形成され、ホルダ装着開口２６はホルダ３０を受入可能とする。
【００２６】
ホルダ３０は、図２及び図４に示すように、プラグハウジング２０のホルダ装着開口２６と略同一平面形状に形成されたホルダ板部３１を有している。
ホルダ板部３１におけるプラグハウジング２０への装着側の面には、プラグハウジング２０への装着方向に向かって突出するフェルール保持突起３２及びフェルール係止部３５が形成されている。
【００２７】
フェルール係止部３５は、プラグハウジング２０に対する光コネクタ１の接続方向と直交する方向に配置されており、ホルダ３０をプラグハウジング２０へ装着することで、フェルール１０は、円環後端部１５を有する後端部がフェルール係止部３５によって係止され、軸方向へ位置決めされるとともに抜け止めされる。
【００２８】
フェルール保持突起３２は、プラグハウジング２０の前後方向に沿って配置されており、ホルダ３０をプラグハウジング２０へ装着することで、プラグハウジング２０のフェルール収容室に挿し込まれたフェルール１０同士の間に入り込む。これにより、フェルール１０は、プラグハウジング２０とホルダ３０のフェルール保持突起３２とによって保持される。
【００２９】
また、ホルダ板部３１の両側部には、プラグハウジング２０への装着方向に向けて係止部３７が延設され、係止部３７はプラグハウジング２０に設けられた被係止部２２に係止される。
【００３０】
係止部３７は、ホルダ３０をプラグハウジング２０に対して仮係止位置に保持してフェルール１０をプラグハウジング２０に収容可能とする仮係止部としての仮係止爪３８と、フェルール１０がプラグハウジング２０に収容された状態でホルダ３０をプラグハウジング２０に挿入させて本係止位置に保持する本係止部としての本係止爪３９と、を有する可撓アームとされている。
【００３１】
なお、プラグハウジング２０の被係止部２２は、上面側が仮係止爪３８と本係止爪３９との係止面が係止される係止面となっており、下面側が仮係止爪３８と本係止爪３９との傾斜面が摺接される傾斜面となっている。
【００３２】
仮係止爪３８は、係止部３７の先端側に突設され、上面側に被係止部２２との摺接により係止部３７を撓ませる傾斜面が設けられ、下面側に係止部３７の復元により被係止部２２に係止される係止面が設けられている。この仮係止爪３８は、ホルダ３０がプラグハウジング２０内に挿入され、係止面が被係止部２２に係止されることにより、ホルダ３０をプラグハウジング２０に対して仮係止位置（図３に示す位置）で保持する。
【００３３】
このホルダ３０の仮係止位置では、ホルダ３０のフェルール係止部３５が下方に位置しており、フェルールアッシー２のフェルール１０側をプラグハウジング２０内に挿入可能とする（図７の（ｂ）参照）。
【００３４】
本係止爪３９は、係止部３７の仮係止爪３８より下方に突設され、上面側に被係止部２２との摺接により係止部３７を撓ませる傾斜面が設けられ、下面側に係止部３７の復元により被係止部２２に係止される係止面が設けられている。この本係止爪３９は、ホルダ３０が仮係止位置からプラグハウジング２０内に挿入され、係止面が被係止部２２に係止されることにより、ホルダ３０をプラグハウジング２０に対して本係止位置（図１に示す位置）で保持する。
【００３５】
このホルダ３０の本係止位置では、ホルダ３０のフェルール係止部３５が上方に位置され、フェルールアッシー２のフェルール１０を係止してプラグハウジング２０からのフェルールアッシー２の抜け止めを行う（図６の（ｂ）参照）。
【００３６】
また、ホルダ３０のホルダ板部３１には、プラグハウジング２０への装着方向に沿って延在するスライドレール３４が、係止部３７の近傍位置に形成されている。
【００３７】
更に、ホルダ板部３１におけるプラグハウジング２０への装着側の面には、ホルダ３０がプラグハウジング２０に装着された際、ロックアーム２３の押下部２４に対向して装着方向に向かって突出するホルダ突起部３６が形成されている。
ホルダ突起部３６は、ホルダ板部３１の幅方向両側に設けられた一対の係止部３７の間における中央位置に設けられている。
【００３８】
ホルダ突起部３６は、図４に示すように、ホルダ３０がプラグハウジング２０のホルダ装着開口２６に装着されて本係止位置に保持された際に、ロックアーム２３の押下部２４と先端部（上端部）との間に所定間隔Ｇを有する高さに構成されている。
ここで、光コネクタ１が相手側光コネクタ５１に対して着脱される際には、相手側ハウジング５０の係合部５５に対してロックアーム２３の係止突起２５が係合離脱するため、ロックアーム２３の揺動端が下方に変位する。そこで、所定間隔Ｇは、図５に示すように、下方に変位したロックアーム２３の押下部２４がホルダ突起部３６の先端部に当接しない寸法とされる。
【００３９】
次に、本実施形態の光コネクタ１を組み立てる場合について説明する。
先ず、フェルールアッシー２のフェルール１０をプラグハウジング２０のフェルール収容室に後方から差し込む。このとき、プラグハウジング２０には、そのホルダ装着開口２６にホルダ３０を嵌め込み、係止部３７の仮係止爪３８を被係止部２２に係止させた仮係止状態としておく（図３参照）。
【００４０】
そして、フェルール１０を、その先端部が結合開口部２１に挿入された所定の位置まで挿し込む。すると、プラグハウジング２０の両側壁に設けた可撓係止片２９の係止部が一対の円環フランジ部１１，１３の間に係合し、フェルール１０はプラグハウジング２０に対して係止される。
その後、仮係止状態のホルダ３０をプラグハウジング２０側へ押し込む。これにより、係止部３７の本係止爪３９を被係止部２２に係止させた本係止状態とする（図１参照）。なお、ホルダ３０をプラグハウジング２０側へ押し込む際、フェルール１０は可撓係止片２９により係止されているので、フェルールアッシー２が不用意にプラグハウジング２０から抜け出てしまうことがない。
【００４１】
このように、ホルダ３０を押し込んでプラグハウジング２０に対して本係止状態とすると、ホルダ３０のフェルール係止部３５が上方に位置され、フェルールアッシー２のフェルール１０が係止される。そこで、フェルールアッシー２は、プラグハウジング２０からの抜け止めが行われる。
【００４２】
このようにプラグハウジング２０に対して仮係止位置と本係止位置とを移行されるホルダ３０には一対のスライドレール３４が設けられ、プラグハウジング２０にはスライドレール３４がそれぞれ係合される一対のスライド溝２８が設けられている。
そこで、これら一対のスライド溝２８に一対のスライドレール３４を係合させることにより、ホルダ３０をプラグハウジング２０に挿入して組付け、係止部３７の仮係止爪３８が被係止部２２に係止されるまでの間に、ホルダ３０がプラグハウジング２０に対して回転したり、傾いたりするなどの位置ずれを防止することができる。また、仮係止位置では、スライドレール３４とスライド溝２８との嵌合により、ホルダ３０のプラグハウジング２０に対する傾きを抑制することができる。更に、ホルダ３０がプラグハウジング２０に対して仮係止位置から本係止位置に移行するまでの間も、スライドレール３４とスライド溝２８との嵌合により、ホルダ３０がプラグハウジング２０に対して傾くことがなく、ホルダ３０のプラグハウジング２０への挿入を安定して案内することができる。
【００４３】
このように組み立てられた光コネクタ１は、図４の（ａ）に示すように、相手側光コネクタ５１に嵌合される。すると、光コネクタ１は、相手側ハウジング５０の係合部５５に対してロックアーム２３の係止突起２５が係合し、嵌合ロックされる。この際、ロックアーム２３の揺動端が下方に変位するが、下方に変位したロックアーム２３の押下部２４がホルダ突起部３６の先端部に当接することはない。
【００４４】
そして、相手側光コネクタ５１と光コネクタ１との嵌合を解除する際には、ロックアーム２３の操作部２７を押下し、相手側ハウジング５０の係合部５５に対する係止突起２５の係合を解除することで、光コネクタ１を相手側光コネクタ５１から離脱させることができる。
【００４５】
次に、本実施形態の光コネクタ１において、プラグハウジング２０に対するホルダ３０の本係止状態を解除して仮係止状態とする場合について説明する。
図６の（ａ）はロックアーム２３をロック解除方向に操作して押下部２４をホルダ３０のホルダ突起部３６に当接させた状態の光コネクタ１の縦断面図であり、図６の（ｂ）は図６の（ａ）におけるＶＩ−ＶＩ断面矢視図である。図７の（ａ）はロックアーム２３の押下部２４でホルダ３０のホルダ突起部３６を押圧してホルダ３０を仮係止位置に移行させた状態の光コネクタ１の縦断面図であり、図７の（ｂ）は図７の（ａ）におけるＶＩＩ−ＶＩＩ断面矢視図である。
【００４６】
先ず、図６に示すように、ロックアーム２３の操作部２７を押下し、ロックアーム２３をロック解除方向（図中、下方向）に所定以上撓み変形させる。ロックアーム２３がロック解除方向に所定以上撓み変形させられると、フェルール１０をプラグハウジング２０に保持しているホルダ３０に設けたホルダ突起部３６にロックアーム２３の押下部２４が当接する。
【００４７】
そして、図７に示すように、更にロックアーム２３をロック解除方向に撓み変形させることで、ホルダ突起部３６を介して押下された本係止状態のホルダ３０が、フェルール１０の保持を解除する方向（図中、下方向）に変位させられる。すると、被係止部２２に係止された係止部３７の本係止爪３９の係止が外れたホルダ３０は、係止部３７の仮係止爪３８が被係止部２２に係止された仮係止状態となる。ここで、ホルダ３０のフェルール係止部３５が下方に位置され、フェルールアッシー２のフェルール１０が係止解除される。そこで、フェルールアッシー２は、プラグハウジング２０から抜き出すことができる。
【００４８】
即ち、ロックアーム２３の操作部２７を押圧してロックアーム２３を所定以上撓ませることで、ホルダ３０をフェルール１０の保持を解除する方向に変位させてプラグハウジング２０に対するフェルール１０の保持を解除することができる。そこで、ホルダ用の解除治具を使用する必要がなくなる。また、相手側ハウジング５０とプラグハウジング２０との嵌合解除時にロックアーム２３を撓ませて相手側ハウジング５０に対する係止を解除すると同時に、連動してホルダ３０をフェルール１０の保持を解除した状態にすることができ、プラグハウジング２０に対するホルダ３０の解除作業を容易としてメンテナンス性の向上を図ることができる。
【００４９】
また、本実施形態の光コネクタ１によれば、ホルダ３０は、仮係止爪３８と本係止爪３９とを有する係止部３７を介してプラグハウジング２０の被係止部２２に係止される。
そこで、本係止爪３９がプラグハウジング２０の被係止部２２に係止されてフェルール１０をプラグハウジング２０に保持している本係止位置のホルダ３０は、ロック解除方向に撓み変形させられたロックアーム２３によってフェルール１０の保持を解除する方向に変位させられると、仮係止爪３８がプラグハウジング２０の被係止部２２に係止された仮係止位置となる。従って、フェルール１０の保持を解除する方向に変位させられたホルダ３０が、プラグハウジング２０から不用意に脱落してしまうおそれがない。
【００５０】
また、本実施形態の光コネクタ１によれば、ロック解除方向に撓み変形させられたロックアーム２３によって本係止位置のホルダ３０を仮係止位置とする際、ロックアーム２３はホルダ３０におけるホルダ板部３１の両側部に延設された一対の係止部３７の間における中央位置に設けられたホルダ突起部３６に当接する。そして、更にロックアーム２３をロック解除方向に撓み変形させることで、ホルダ突起部３６を介してホルダ３０がフェルール１０の保持を解除する方向に押圧されて変位させられる。
そこで、ホルダ突起部３６に作用した押圧力は、ホルダ３０におけるホルダ板部３１の両側部に延設された一対の係止部３７に均等に作用し、各係止部３７を係止解除方向へ均等に撓ませることができる。従って、ホルダ３０は傾くことなくスムーズに仮係止位置へ移行することができる。
【００５１】
次に、本実施形態の光コネクタ１の変形例に係るホルダ３０Ａを説明する。
図８は、本実施形態の光コネクタ１の変形例に係るホルダ３０Ａを示す要部拡大断面図である。なお、本変形例に係るホルダ３０Ａは、上記ホルダ３０の係止部３７の構成を係止部３７Ａとした以外はホルダ３０と同様の構成である。
図８に示すように、ホルダ３０Ａは、係止部３７Ａの本係止爪３９における係止面３９ａが、プラグハウジング２０の被係止部２２における係止面２２ａとの摺接により係止部３７Ａを係止解除方向（図中、左方向）へ撓ませる傾斜面（本係止爪３９の基部側から先端側に向って上方へ傾斜した本係止爪３９の下面）とされている。
【００５２】
そこで、本変形例に係るホルダ３０Ａを備えた本実施形態の光コネクタ１によれば、本係止爪３９における係止面３９ａが、プラグハウジング２０の被係止部２２における係止面２２ａとの摺接により係止部３７を係止解除方向へ撓ませる傾斜面とされている。
そこで、本係止位置のホルダ３０Ａがフェルール１０の保持を解除する方向に変位させられる際、本係止爪３９は被係止部２２に対する係止がスムーズに解除される。従って、ホルダ３０Ａをフェルール１０の保持を解除する方向に変位させるためにロックアーム２３の操作部２７を押圧してロックアーム２３を撓ませる操作力を低減することができる。
【００５３】
従って、本実施形態に係る光コネクタ１によれば、ホルダ用の解除治具を不要とすると共に、プラグハウジング２０に対するホルダ３０の解除作業を容易としてメンテナンス性の向上を図ることができる。
【００５４】
尚、本発明は、上述した実施形態に限定されるものではなく、適宜、変形、改良などが可能である。その他、上述した実施形態における各構成要素の材質、形状、寸法、数、配置箇所などは本発明を達成できるものであれば任意であり、限定されない。
【００５５】
ここで、上述した本発明に係る光コネクタの実施形態の特徴をそれぞれ以下［１］〜［４］に簡潔に纏めて列記する。
［１］  光ファイバ（３）と、
前記光ファイバ（３）の端部に設けられたフェルール（１０）と、
前記フェルール（１０）が収容されるハウジング（プラグハウジング２０）と、
前記ハウジング（プラグハウジング２０）に設けられ、相手側ハウジング（５０）と嵌合する過程では撓み変形し嵌合完了と共に復帰して前記相手側ハウジング（５０）を係止することにより前記ハウジング（プラグハウジング２０）と前記相手側ハウジング（５０）とを嵌合状態に保持するロックアーム（２３）と、
前記ハウジング（プラグハウジング２０）に組み付けられて前記フェルール（１０）を前記ハウジング（プラグハウジング２０）に保持するホルダ（３０）と、
前記ホルダ（３０）に設けられ、ロック解除方向に所定以上撓み変形した前記ロックアーム（２３）に押圧されることで前記ホルダ（３０）による前記フェルール（１０）の保持を解除する方向に前記ホルダ（３０）を変位させるホルダ突起部（３６）と、
を備えることを特徴とする光コネクタ（１）。
［２］  前記ホルダ（３０）は、前記ホルダ（３０）を前記ハウジング（プラグハウジング２０）に保持して前記フェルール（１０）を前記ハウジング（プラグハウジング２０）に挿脱可能とする仮係止部（仮係止爪３８）と、前記フェルール（１０）が前記ハウジング（プラグハウジング２０）に収容された状態で前記ホルダ（３０）を前記ハウジング（プラグハウジング２０）に挿入させて保持する本係止部（本係止爪３９）とを有する係止部（３７）を介して前記ハウジング（プラグハウジング２０）の被係止部（２２）に係止される
ことを特徴とする上記［１］に記載の光コネクタ（１）。
［３］  前記本係止部（本係止爪３９）における係止面（３９ａ）は、前記被係止部（２２）における係止面（２２ａ）との摺接により前記係止部（３７Ａ）を係止解除方向へ撓ませる傾斜面とされている
ことを特徴とする上記［２］に記載の光コネクタ（１）。
［４］  前記ホルダ突起部（３６）は、前記ハウジング（プラグハウジング２０）への装着方向に向けて前記ホルダ（３０）の両側部に延設された一対の前記係止部（３７）の間における中央位置に設けられている
ことを特徴とする上記［２］又は［３］に記載の光コネクタ（１）。
【符号の説明】
【００５６】
１…光コネクタ
３…光ファイバ
１０…フェルール
２０…プラグハウジング（ハウジング）
２２…被係止部
２３…ロックアーム
３０…ホルダ
３６…ホルダ突起部
３７…係止部
３８…仮係止爪（仮係止部）
３９…本係止爪（本係止部）
【図１】
2020194050.tif 000003
【図２】
2020194050.tif 000004
【図３】
2020194050.tif 000005
【図４】
2020194050.tif 000006
【図５】
2020194050.tif 000007
【図６】
2020194050.tif 000008
【図７】
2020194050.tif 000009
【図８】
2020194050.tif 000010